(57)【要約】【課題】スピーカーから出力される音情報の伝達性の低下を抑制可能な画像処理装置、及び動作制御方法を提供すること。【解決手段】画像処理装置１０は、通信装置２４からの通信に基づいて画像処理装置１０の設置空間へ向けた音情報の出力に用いられるスピーカー２３の出力状態を検出する検出処理部１５１と、検出処理部１５１によってスピーカー２３の出力状態が検出された場合に、動作音の鳴動を伴う特定動作を制限可能な動作制限部１５４と、を備える。【選択図】図１
2019188723.tif 000002
【特許請求の範囲】
【請求項１】
原稿から画像を読み取る画像読取部又はシートに画像を形成する画像形成部と、
自装置の外部に設けられるスピーカーの出力状態を検出する検出処理部と、
前記検出処理部によって前記スピーカーの出力状態が検出された場合に自装置の動作を制限可能な動作制限部と、
を備える画像処理装置。
【請求項２】
前記動作制限部は、前記画像処理装置の動作のうち予め定められた特定動作を制限可能である、
請求項１に記載の画像処理装置。
【請求項３】
前記画像処理装置は、前記スピーカーの出力状態を検出可能な通信装置と通信可能に接続されており、
前記検出処理部は、前記通信装置からの通信に基づいて前記スピーカーの出力状態を検出する、
請求項１又は２に記載の画像処理装置。
【請求項４】
前記検出処理部によって前記スピーカーの出力状態が検出された場合に、前記スピーカーから出力される音情報の前記画像処理装置の設置位置における音量を取得する音量取得部を備え、
前記動作制限部は、前記音量取得部によって取得される音量が予め定められた基準音量以下である場合に、前記画像処理装置の動作を制限する、
請求項１〜３のいずれかに記載の画像処理装置。
【請求項５】
前記検出処理部によって前記スピーカーの出力状態が検出された場合に、前記スピーカーから出力される音情報が予め定められた第１特定情報を含むか否かを判定する第１判定処理部を備え、
前記動作制限部は、前記第１判定処理部によって前記スピーカーから出力される前記音情報が前記第１特定情報を含むと判定された場合に、前記画像処理装置の動作を制限する、
請求項１〜４のいずれかに記載の画像処理装置。
【請求項６】
前記動作制限部によって前記画像処理装置の動作が制限された場合に、前記スピーカーから出力される音情報が予め定められた第２特定情報を含むか否かを判定する第２判定処理部を備え、
前記動作制限部は、前記第２判定処理部によって前記スピーカーから出力される前記音情報が前記第２特定情報を含むと判定された場合に、前記画像処理装置の動作の制限を解除する、
請求項１〜５のいずれかに記載の画像処理装置。
【請求項７】
前記動作制限部は、予め定められたユーザー操作に応じて前記画像処理装置の動作の制限を解除する、
請求項１〜６のいずれかに記載の画像処理装置。
【請求項８】
原稿から画像を読み取る画像読取部又はシートに画像を形成する画像形成部を備える画像処理装置で実行される動作制御方法であって、
前記画像処理装置の外部に設けられるスピーカーの出力状態を検出することと、
前記スピーカーの出力状態が検出された場合に前記画像処理装置の動作を制限可能なことと、
を含む動作制御方法。
【発明の詳細な説明】
【技術分野】
【０００１】
本発明は、画像処理装置、及び画像処理装置で実行される動作制御方法に関する。
【背景技術】
【０００２】
シートに画像を形成可能なプリンターのような画像処理装置が知られている。また、画像処理装置の動作音がその画像処理装置への音声情報の入力の妨げとなることを回避するために、音声情報が入力される場合に印刷処理の実行を制限可能な画像処理装置が知られている（特許文献１参照）。
【先行技術文献】
【特許文献】
【０００３】
【特許文献１】特開２００４−２２６４８９号公報
【発明の概要】
【発明が解決しようとする課題】
【０００４】
ところで、画像処理装置は、放送に用いられるスピーカーが設置された空間内に設けられることがある。この場合、画像処理装置の動作音がそのスピーカーから出力される音情報の伝達の妨げとなることがある。
【０００５】
本発明の目的は、スピーカーから出力される音情報の伝達性の低下を抑制可能な画像処理装置、及び動作制御方法を提供することにある。
【課題を解決するための手段】
【０００６】
本発明の一の局面に係る画像処理装置は、画像読取部又は画像形成部と、検出処理部と、動作制限部とを備える。前記画像読取部は、原稿から画像を読み取る。前記画像形成部は、シートに画像を形成する。前記検出処理部は、自装置の外部に設けられるスピーカーの出力状態を検出する。前記動作制限部は、前記検出処理部によって前記スピーカーの出力状態が検出された場合に自装置の動作を制限可能である。
【０００７】
本発明の他の局面に係る動作制御方法は、原稿から画像を読み取る画像読取部又はシートに画像を形成する画像形成部を備える画像処理装置で実行され、前記画像処理装置の外部に設けられるスピーカーの出力状態を検出することと、前記スピーカーの出力状態が検出された場合に前記画像処理装置の動作を制限可能なことと、を含む。
【発明の効果】
【０００８】
本発明によれば、スピーカーから出力される音情報の伝達性の低下を抑制可能な画像処理装置、及び動作制御方法が実現される。
【図面の簡単な説明】
【０００９】
【図１】図１は、本発明の実施形態に係る画像処理システムの構成を示すブロック図である。
【図２】図２は、本発明の実施形態に係る画像処理システムに含まれる画像処理装置の構成を示す図である。
【図３】図３は、本発明の実施形態に係る画像処理システムで用いられるテーブルデータを示す図である。
【図４】図４は、本発明の実施形態に係る画像処理システムで実行される動作制御処理の一例を示すフローチャートである。
【発明を実施するための形態】
【００１０】
以下、添付図面を参照しながら、本発明の実施形態について説明する。なお、以下の実施形態は、本発明を具体化した一例であって、本発明の技術的範囲を限定するものではない。
【００１１】
［画像処理システム１００］
本発明の実施形態に係る画像処理システム１００は、図１に示されるように、画像処理装置１０と、放送装置２０とを含む。図１において、画像処理装置１０及び放送装置２０は、二点鎖線によって示されている。画像処理システム１００において、画像処理装置１０及び放送装置２０は、互いに通信ネットワーク３０を介して相互に通信可能に接続されている。例えば、通信ネットワーク３０は、インターネット又はＬＡＮ（ローカルエリアネットワーク）である。
【００１２】
［画像処理装置１０］
画像処理装置１０は、原稿から画像データを読み取るスキャン機能、及び画像データに基づいて画像を形成するプリント機能と共に、ファクシミリ機能、及びコピー機能などの複数の機能を有する複合機である。なお、画像処理装置１０は、スキャナー、プリンター、ファクシミリ装置、及びコピー機などであってもよい。
【００１３】
図１及び図２に示されるように、画像処理装置１０は、ＡＤＦ（自動原稿搬送装置）１１、画像読取部１２、画像形成部１３、給紙部１４、制御部１５、操作表示部１６、通信部１７、記憶部１８、及びマイク１９を備える。なお、図２は画像処理装置１０の構成を示す断面模式図である。
【００１４】
ＡＤＦ１１は、原稿セット部、複数の搬送ローラー、原稿押さえ、及び排紙部を備え、画像読取部１２によって読み取られる原稿を搬送する。画像読取部１２は、原稿台、光源、複数のミラー、光学レンズ、及びＣＣＤを備え、原稿から画像データを読み取ることが可能である。
【００１５】
画像形成部１３は、画像読取部１２で読み取られた画像データに基づいて、電子写真方式でシートに画像を形成することが可能である。また、画像形成部１３は、外部の情報処理装置から入力された画像データに基づいて、シートに画像を形成することも可能である。具体的に、画像形成部１３は、感光体ドラム、帯電装置、光走査装置（ＬＳＵ）、現像装置、転写ローラー、クリーニング装置、定着ローラー、加圧ローラー、及び排紙トレイを備える。なお、画像形成部１３は、インクジェット方式などの他の画像形成方式により画像を形成するものであってもよい。
【００１６】
給紙部１４は、給紙カセット、シート搬送路、及び複数の搬送ローラーを備え、画像形成部１３にシートを供給する。画像形成部１３は、給紙部１４から供給されるシートに、画像データに基づく画像を形成する。画像形成部１３による画像形成後のシートは、前記排紙トレイに排出される。
【００１７】
図１に示されるように、制御部１５は、ＣＰＵ１５Ａ、ＲＯＭ１５Ｂ、及びＲＡＭ１５Ｃなどの制御機器を備える。ＣＰＵ１５Ａは、各種の演算処理を実行するプロセッサーである。ＲＯＭ１５Ｂは、ＣＰＵ１５Ａに各種の処理を実行させるための制御プログラムなどの情報が予め記憶される不揮発性の記憶装置である。ＲＡＭ１５Ｃは揮発性の記憶装置である。ＲＡＭ１５Ｃは、ＣＰＵ１５Ａが実行する各種の処理の一時記憶メモリー（作業領域）として使用される。制御部１５では、ＣＰＵ１５ＡによりＲＯＭ１５Ｂに予め記憶された各種の制御プログラムが実行される。これにより、画像処理装置１０が制御部１５により統括的に制御される。なお、制御部１５は、集積回路（ＡＳＩＣ）などの電子回路で構成されたものであってもよく、画像処理装置１０を統括的に制御するメイン制御部とは別に設けられた制御部であってもよい。
【００１８】
操作表示部１６は、制御部１５からの制御指示に応じて各種の情報を表示する液晶ディスプレーなどの表示部、及びユーザーの操作に応じて制御部１５に各種の情報を入力する操作キー又はタッチパネルなどの操作部を有する。
【００１９】
通信部１７は、放送装置２０との間で、通信ネットワーク３０を介して有線又は無線によるデータ通信を実行することが可能である。また、通信部１７は、外部のＦＡＸ送受信装置との間で、電話線を介してＦＡＸ通信を行うことも可能である。
【００２０】
記憶部１８は、不揮発性の記憶装置である。例えば、記憶部１８は、フラッシュメモリー及びＥＥＰＲＯＭ（登録商標）などの不揮発性メモリ、ＳＳＤ（ソリッドステートドライブ）、又はＨＤＤ（ハードディスクドライブ）などの記憶装置である。
【００２１】
マイク１９は、画像処理装置１０への音声及び音楽などの音情報の入力に用いられる。マイク１９は、外部から入力される前記音情報を含む空気振動を、当該音情報を含むアナログの電気信号に変換する。マイク１９から出力されるアナログの電気信号は、ＡＤ変換機によってデジタルの電気信号に変換された後、制御部１５に入力される。
【００２２】
［放送装置２０］
放送装置２０は、画像処理装置１０の設置空間を含む建物内において音声による放送を行うための装置である。図１に示されるように、放送装置２０は、マイク２１、アンプ２２、スピーカー２３、及び通信装置２４を備える。
【００２３】
マイク２１は、放送装置２０への前記音情報の入力に用いられる。マイク２１は、画像処理装置１０の設置空間外に設けられる。例えば、マイク２１は、画像処理装置１０の設置空間を含む建物内における放送室のような部屋に設けられる。マイク２１は、外部から入力される前記音情報を含む空気振動を、当該音情報を含むアナログの電気信号に変換する。マイク２１から出力されるアナログの電気信号は、アンプ２２に入力される。
【００２４】
アンプ２２は、マイク２１から入力される前記音情報を含むアナログの電気信号を増幅する。アンプ２２によって増幅されたアナログの電気信号は、スピーカー２３に入力される。
【００２５】
スピーカー２３は、アンプ２２から入力されるアナログの電気信号に含まれる前記音情報を出力する。例えば、スピーカー２３は、画像処理装置１０の外部であって、画像処理装置１０の設置空間内に設けられる。スピーカー２３は、アンプ２２から入力される前記音情報を含むアナログの電気信号を空気振動に変換して、当該空気振動を外部へ発振する。
【００２６】
なお、スピーカー２３は、画像処理装置１０が設置された部屋の隣室のような、画像処理装置１０の設置空間外に設けられていてもよい。また、スピーカー２３は、画像処理装置１０の設置空間を含む建物内において複数設けられていてもよい。例えば、画像処理装置１０の設置空間を含む建物が複数のフロアを含む場合、各フロアに一又は複数のスピーカー２３が設けられていてもよい。
【００２７】
通信装置２４は、図１に示されるように、通信部２４１及び制御部２４２を含む。
【００２８】
通信部２４１は、画像処理装置１０との間で、通信ネットワーク３０を介して有線又は無線によるデータ通信を実行することが可能である。
【００２９】
制御部２４２は、集積回路（ＡＳＩＣ）などの電子回路で構成されている。制御部２４２は、スピーカー２３と電気的に接続されており、スピーカー２３の出力状態を検出することが可能である。なお、本明細書において、スピーカー２３の出力状態とは、スピーカー２３から前記音情報が出力されている状態のことである。また、スピーカー２３の停止状態とは、スピーカー２３から前記音情報が出力されていない状態のことである。
【００３０】
制御部２４２は、画像処理装置１０からスピーカー２３の状態についての問い合わせを受けた場合に、スピーカー２３が出力状態であるか否かを判断する。そして、制御部２４２は、スピーカー２３が出力状態であると判断された場合に、画像処理装置１０に対してその旨の通知を行う。一方、制御部２４２は、スピーカー２３が停止状態であると判断された場合に、画像処理装置１０に対してその旨の通知を行う。
【００３１】
なお、放送装置２０が複数のスピーカー２３を含む場合、通信装置２４は、スピーカー２３各々に対応して設けられてもよいし、複数のスピーカー２３の一部に対応して設けられてもよい。
【００３２】
ところで、画像処理システム１００において、画像処理装置１０の動作音がスピーカー２３から出力される前記音情報の伝達の妨げとなることがある。即ち、スピーカー２３が出力状態である場合に画像処理装置１０が動作すると、その動作音によって画像処理装置１０の周囲にいる人がスピーカー２３から出力される音声を聞き取りにくくなることがある。これに対し、本発明の実施形態に係る画像処理装置１０では、以下に説明するように、スピーカー２３から出力される前記音情報の伝達性の低下を抑制することが可能である。
【００３３】
具体的に、画像処理装置１０のＲＯＭ１５Ｂには、ＣＰＵ１５Ａに後述の動作制御処理（図４のフローチャート参照）を実行させるための動作制御プログラムが予め記憶されている。なお、前記動作制御プログラムは、ＣＤ、ＤＶＤ、フラッシュメモリーなどのコンピューター読み取り可能な記録媒体に記録されており、前記記録媒体から読み取られて記憶部１８にインストールされてもよい。
【００３４】
そして、制御部１５は、図１に示されるように、検出処理部１５１、音量取得部１５２、第１判定処理部１５３、動作制限部１５４、及び第２判定処理部１５５を含む。具体的に、制御部１５は、ＣＰＵ１５Ａを用いてＲＯＭ１５Ｂに記憶されている前記動作制御プログラムを実行する。これにより、制御部１５は、検出処理部１５１、音量取得部１５２、第１判定処理部１５３、動作制限部１５４、及び第２判定処理部１５５として機能する。
【００３５】
検出処理部１５１は、放送装置２０のスピーカー２３の出力状態を検出する。
【００３６】
具体的に、検出処理部１５１は、通信装置２４からの通信に基づいてスピーカー２３の出力状態を検出する。
【００３７】
例えば、検出処理部１５１は、通信装置２４に対してスピーカー２３の状態についての問い合わせを予め定められた時間間隔で定期的に行う。通信装置２４の制御部２４２は、画像処理装置１０からスピーカー２３の状態についての問い合わせを受けた場合に、スピーカー２３が出力状態であるか否かを判断し、その判断結果を画像処理装置１０に通知する。検出処理部１５１は、通信装置２４からスピーカー２３が出力状態である旨の通知を受けた場合に、スピーカー２３の状態が出力状態であると判断する。
【００３８】
なお、通信装置２４の制御部２４２は、定期的にスピーカー２３の状態を検出して、スピーカー２３の状態が検出されるごとにその検出結果を画像処理装置１０に通知してもよい。
【００３９】
また、通信装置２４の制御部２４２は、マイク２１と電気的に接続されており、マイク２１から出力される前記音情報を含むアナログの電気信号をデジタルの電気信号に変換可能であってもよい。この場合、制御部２４２は、デジタル信号化された前記音情報を画像処理装置１０に送信してもよい。また、検出処理部１５１は、通信装置２４からデジタル信号化された前記音情報を受信した場合に、スピーカー２３の状態が出力状態であると判断してもよい。
【００４０】
音量取得部１５２は、検出処理部１５１によってスピーカー２３の出力状態が検出された場合に、スピーカー２３から出力される前記音情報の画像処理装置１０の設置位置における音量を取得する。
【００４１】
具体的に、音量取得部１５２は、画像処理装置１０の外部からマイク１９を経由して制御部１５に入力されるデジタル信号化された前記音情報に基づいて、スピーカー２３から出力される前記音情報の画像処理装置１０の設置位置における音量を取得する。
【００４２】
なお、通信装置２４がデジタル信号化された前記音情報を画像処理装置１０に送信可能である場合、音量取得部１５２は、当該音情報に基づいて、スピーカー２３から出力される前記音情報の画像処理装置１０の設置位置における音量を取得してもよい。例えば、音量取得部１５２は、通信装置２４から送信された前記音情報に基づいて取得される音量に、画像処理装置１０とスピーカー２３との離間距離に対応する減衰量を減算することで、スピーカー２３から出力される前記音情報の音量を取得してもよい。この場合、画像処理装置１０は、マイク１９を備えていなくてもよい。
【００４３】
また、制御部１５は、音量取得部１５２を含んでいなくてもよい。
【００４４】
第１判定処理部１５３は、検出処理部１５１によってスピーカー２３の出力状態が検出された場合に、スピーカー２３から出力される前記音情報が予め定められた第１特定情報を含むか否かを判定する。
【００４５】
具体的に、第１判定処理部１５３は、画像処理装置１０の外部からマイク１９を経由して制御部１５に入力されるデジタル信号化された前記音情報に基づいて、スピーカー２３から出力される前記音情報が前記第１特定情報を含むか否かを判定する。
【００４６】
例えば、前記第１特定情報は、予め定められたキーワード又は文章を示す文字情報である。例えば、第１判定処理部１５３は、制御部１５に入力されるデジタル信号化された前記音情報に対して音声認識処理を実行する。そして、第１判定処理部１５３は、当該音声認識処理の実行結果に基づいて、スピーカー２３から出力される前記音情報が前記第１特定情報を含むか否かを判断する。
【００４７】
なお、前記第１特定情報は、チャイム音のような予め定められた音による予め定められた旋律を示す音楽情報であってもよい。また、前記第１特定情報は、操作表示部１６におけるユーザー操作などに応じて任意に定められてよい。
【００４８】
また、通信装置２４がデジタル信号化された前記音情報を画像処理装置１０に送信可能である場合、第１判定処理部１５３は、通信装置２４から送信される前記音情報に基づいて、スピーカー２３から出力される前記音情報が前記第１特定情報を含むか否かを判定してもよい。この場合、画像処理装置１０は、マイク１９を備えていなくてもよい。
【００４９】
また、制御部１５は、第１判定処理部１５３を含んでいなくてもよい。この場合、検出処理部１５１は、画像処理装置１０の外部からマイク１９を経由して制御部１５に入力されるデジタル信号化された前記音情報に基づいて、スピーカー２３の出力状態を検出してもよい。例えば、検出処理部１５１は、制御部１５に入力されるデジタル信号化された前記音情報が前記第１特定情報を含むと判断された場合に、スピーカー２３の状態が出力状態であると判断してもよい。これにより、マイク１９を介して入力される前記音情報の出力元がスピーカー２３であるか否かを判別可能である。この場合、放送装置２０に通信装置２４が含まれていなくてもよい。
【００５０】
動作制限部１５４は、検出処理部１５１によってスピーカー２３の出力状態が検出された場合に、画像処理装置１０の動作を制限することが可能である。
【００５１】
具体的に、動作制限部１５４は、画像処理装置１０の動作のうち予め定められた特定動作を制限することが可能である。
【００５２】
例えば、前記特定動作は、画像形成部１３を用いた印刷動作、画像読取部１２を用いたスキャン動作、通信部１７を用いたＦＡＸ送受信動作、画像形成部１３の前記定着装置を予め定められた印刷可能な温度まで上昇させるスタンバイ動作、及び操作表示部１６における電子音の鳴動を含む。なお、前記特定動作は、以上に挙げた動作とは異なる動作音の鳴動を伴う動作を含んでいてもよい。また、前記特定動作は、以上に挙げた動作の一部であってもよい。
【００５３】
具体的に、動作制限部１５４は、音量取得部１５２によって取得される音量が予め定められた基準音量以下であって、且つ第１判定処理部１５３によってスピーカー２３から出力される前記音情報が前記第１特定情報を含むと判定された場合に、前記特定動作を制限する。
【００５４】
ここで、前記基準音量は、画像処理装置１０の動作音がスピーカー２３から画像処理装置１０の近傍にいる人への前記音情報の伝達を妨げるおそれがあるか否かの判断基準となる音量である。即ち、画像処理装置１０では、音量取得部１５２によって取得される音量が前記基準音量を超える場合には、画像処理装置１０の動作音がスピーカー２３から出力される前記音情報の伝達を妨げるおそれがないと判断されて、前記特定動作の制限は行われない。前記基準音量は、予め固定で定められた音量であってもよいし、操作表示部１６におけるユーザーの操作によって任意に定められる音量であってもよい。
【００５５】
例えば、動作制限部１５４は、前記特定動作を制限する場合に、音量取得部１５２によって取得される音量と前記基準音量との差Ｘに応じて、制限対象となる前記特定動作の種類を特定する。
【００５６】
例えば、画像処理装置１０では、音量取得部１５２によって取得される音量と前記基準音量との差Ｘと、制限対象となる前記特定動作の種類とが対応付けられたテーブルデータＴＤ１（図３参照）が予め記憶部１８に格納されている。ここで、図３には、テーブルデータＴＤ１の一例が示されている。なお、図３に示されたテーブルデータＴＤ１において、ＡはＢよりも小さい値である。
【００５７】
テーブルデータＴＤ１では、音量取得部１５２によって取得される音量と前記基準音量との差Ｘが大きいほど、より動作音の小さい前記特定動作が制限対象に含まれるように、差Ｘと制限対象となる前記特定動作の種類とが対応付けられている。具体的に、図３に示されるように、テーブルデータＴＤ１では、差Ｘが０以上Ａ未満である場合と、印刷動作及びスキャン動作とが対応付けられている。また、テーブルデータＴＤ１では、差ＸがＡ以上Ｂ未満である場合と、印刷動作、スキャン動作、ＦＡＸ送受信動作、及びスタンバイ動作とが対応付けられている。また、テーブルデータＴＤ１では、差ＸがＢ以上である場合と、印刷動作、スキャン動作、ＦＡＸ送受信動作、スタンバイ動作、及び電子音の鳴動とが対応付けられている。
【００５８】
動作制限部１５４は、前記特定動作を制限する場合に、テーブルデータＴＤ１に基づいて、音量取得部１５２によって取得される音量と前記基準音量との差Ｘに対応する前記特定動作の種類を特定する。そして、動作制限部１５４は、特定された前記特定動作を制限する。具体的に、動作制限部１５４は、特定された前記特定動作の実行を禁止する。また、動作制限部１５４は、特定された前記特定動作が実行中である場合は、実行中の前記特定動作を中断させる。
【００５９】
また、動作制限部１５４は、予め定められたユーザー操作に応じて、前記特定動作の制限を解除する。例えば、動作制限部１５４は、操作表示部１６において予め定められた操作キーが操作された場合に、前記特定動作の制限を解除する。
【００６０】
また、動作制限部１５４は、以下に述べる第２判定処理部１５５によってスピーカー２３から出力される前記音情報が第２特定情報を含むと判定された場合に、前記特定動作の制限を解除する。
【００６１】
なお、動作制限部１５４は、印刷動作が制限される場合に、印刷速度を低減させてもよい。また、動作制限部１５４は、スキャン動作が制限される場合に、スキャン速度を低減させてもよい。また、動作制限部１５４は、ＦＡＸ送受信動作が制限される場合に、ＦＡＸ送受信時に鳴動する音の音量を低減させてもよい。また、動作制限部１５４は、電子音の鳴動が制限される場合に、当該電子音の音量を低減させてもよい。
【００６２】
また、画像処理装置１０において、動作音の大きいものから小さいものの順に前記特定動作が順位付けされていてもよい。この場合、動作制限部１５４は、音量取得部１５２によって取得される音量と前記基準音量との差Ｘに基づいて特定される順位の前記特定動作、及びその順位よりも上位の前記特定動作各々を制限対象として特定してもよい。ここで、音量取得部１５２によって取得される音量と前記基準音量との差Ｘに基づいて特定される順位は、当該差Ｘが大きいほど、より下位となるように定められる。
【００６３】
また、動作制限部１５４は、前記特定動作を制限する場合に、音量取得部１５２によって取得される音量と前記基準音量との差Ｘに関わらず、予め定められた前記特定動作を制限してもよい。
【００６４】
また、動作制限部１５４は、音量取得部１５２によって取得される音量が予め定められた音量以上である場合に、前記特定動作を制限してもよい。ここで、前記予め定められた音量は、スピーカー２３から出力される前記音情報の音量が、画像処理装置１０の近傍にいる平均的な聴力を有する人において当該音情報の聞き取りが困難なほどに小さいか否かの判断基準となる音量である。前記予め定められた音量は、予め固定で定められた音量であってもよいし、操作表示部１６におけるユーザーの操作によって任意に定められる音量であってもよい。
【００６５】
また、動作制限部１５４は、音量取得部１５２によって取得される音量が前記基準音量以下である場合に、スピーカー２３から出力される前記音情報が前記第１特定情報を含むか否かに関わらず、前記特定動作を制限してもよい。また、動作制限部１５４は、スピーカー２３から出力される前記音情報が前記第１特定情報を含む場合に、音量取得部１５２によって取得される音量が前記基準音量以下であるか否かに関わらず、前記特定動作を制限してもよい。また、動作制限部１５４は、検出処理部１５１によってスピーカー２３の出力状態が検出された場合に、音量取得部１５２によって取得される音量が前記基準音量以下であるか否か、及びスピーカー２３から出力される前記音情報が前記第１特定情報を含むか否かの両方に関わらず、前記特定動作を制限してもよい。
【００６６】
また、動作制限部１５４は、検出処理部１５１によってスピーカー２３の出力状態が検出された場合に、画像処理装置１０の全ての動作を制限可能であってもよい。
【００６７】
第２判定処理部１５５は、動作制限部１５４によって画像処理装置１０の動作が制限された場合に、スピーカー２３から出力される前記音情報が予め定められた第２特定情報を含むか否かを判定する。
【００６８】
具体的に、第２判定処理部１５５は、画像処理装置１０の外部からマイク１９を経由して制御部１５に入力されるデジタル信号化された前記音情報に基づいて、スピーカー２３から出力される前記音情報が前記第２特定情報を含むか否かを判定する。
【００６９】
例えば、前記第２特定情報は、前記第１特定情報とは異なる内容の文字情報である。第２判定処理部１５５は、第１判定処理部１５３と同様の手法で、スピーカー２３から出力される前記音情報が前記第２特定情報を含むか否かを判定する。
【００７０】
なお、前記第２特定情報は、前記第１特定情報とは異なる内容の音楽情報であってもよい。また、前記第２特定情報は、前記第１特定情報と同じ内容の文字情報又は音楽情報であってもよい。また、前記第２特定情報は、操作表示部１６におけるユーザー操作などに応じて任意に定められてよい。
【００７１】
また、通信装置２４がデジタル信号化された前記音情報を画像処理装置１０に送信可能である場合、第２判定処理部１５５は、通信装置２４から送信される前記音情報に基づいて、スピーカー２３から出力される前記音情報が前記第２特定情報を含むか否かを判定してもよい。この場合、画像処理装置１０は、マイク１９を備えていなくてもよい。
【００７２】
また、制御部１５は、第２判定処理部１５５を含んでいなくてもよい。
【００７３】
［動作制御処理］
以下、図４を参照しつつ、画像処理装置１０において制御部１５により実行される動作制御処理の手順の一例とともに、本発明に係る動作制御方法の手順の一例について説明する。ここで、ステップＳ１１、Ｓ１２・・・は、制御部１５により実行される処理手順（ステップ）の番号を表している。
【００７４】
＜ステップＳ１１＞
まず、ステップＳ１１において、制御部１５は、スピーカー２３の出力状態を検出したか否かを判断する。ここで、ステップＳ１１の処理は、制御部１５の検出処理部１５１により実行される。
【００７５】
例えば、制御部１５は、通信装置２４に対してスピーカー２３の状態についての問い合わせを前記時間間隔で定期的に行う。通信装置２４の制御部２４２は、画像処理装置１０からスピーカー２３の状態についての問い合わせを受けた場合に、スピーカー２３が出力状態であるか否かを判断し、その判断結果を画像処理装置１０に通知する。制御部１５は、通信装置２４からスピーカー２３が出力状態である旨の通知を受けた場合に、スピーカー２３の状態が出力状態であると判断する。
【００７６】
これにより、マイク１９を介して入力される前記音情報に基づいてスピーカー２３の出力状態を検出する構成と比較して、スピーカー２３の出力状態の検出精度を向上させることが可能である。例えば、マイク１９を介して入力される画像処理装置１０の近傍にいる人の話し声などに基づいて、スピーカー２３が出力状態であると誤検出することがない。
【００７７】
ここで、制御部１５は、スピーカー２３の出力状態を検出したと判断すると（Ｓ１１のＹｅｓ側）、処理をステップＳ１２に移行させる。また、スピーカー２３の出力状態を検出していなければ（Ｓ１１のＮｏ側）、制御部１５は、ステップＳ１１でスピーカー２３の出力状態が検出されるのを待ち受ける。
【００７８】
＜ステップＳ１２＞
ステップＳ１２において、制御部１５は、スピーカー２３から出力される前記音情報の画像処理装置１０の設置位置における音量を取得する。ここで、ステップＳ１２の処理は、制御部１５の音量取得部１５２により実行される。
【００７９】
具体的に、制御部１５は、画像処理装置１０の外部からマイク１９を経由して入力されるデジタル信号化された前記音情報に基づいて、スピーカー２３から出力される前記音情報の画像処理装置１０の設置位置における音量を取得する。
【００８０】
＜ステップＳ１３＞
ステップＳ１３において、制御部１５は、ステップＳ１２で取得された音量が前記基準音量以下であるか否かを判断する。
【００８１】
ここで、制御部１５は、ステップＳ１２で取得された音量が前記基準音量以下であると判断すると（Ｓ１３のＹｅｓ側）、処理をステップＳ１４に移行させる。また、ステップＳ１２で取得された音量が前記基準音量以下でなければ（Ｓ１３のＮｏ側）、制御部１５は、処理をステップＳ１１に移行させる。
【００８２】
これにより、画像処理装置１０の動作音がスピーカー２３から出力される前記音情報の伝達を妨げるおそれがないほど、スピーカー２３から出力される前記音情報の音量が大きい場合に、画像処理装置１０の動作が制限されることを回避可能である。
【００８３】
＜ステップＳ１４＞
ステップＳ１４において、制御部１５は、ステップＳ１２で取得された音量と前記基準音量との差Ｘに応じて、制限対象となる前記特定動作の種類を特定する。
【００８４】
例えば、制御部１５は、テーブルデータＴＤ１に基づいて、ステップＳ１２で取得された音量と前記基準音量との差Ｘに対応する前記特定動作の種類を特定する。
【００８５】
これにより、画像処理装置１０の動作音がスピーカー２３から出力される前記音情報の伝達の妨げとなる程度に応じて、制限される前記特定動作の範囲を変えることが可能である。
【００８６】
＜ステップＳ１５＞
ステップＳ１５において、制御部１５は、スピーカー２３が停止状態へ移行したか否かを判断する。ここで、ステップＳ１５の処理は、制御部１５の検出処理部１５１により実行される。
【００８７】
ここで、制御部１５は、スピーカー２３が停止状態へ移行したと判断すると（Ｓ１５のＹｅｓ側）、処理をステップＳ１１に移行させる。また、スピーカー２３が停止状態へ移行していなければ（Ｓ１５のＮｏ側）、制御部１５は、処理をステップＳ１６に移行させる。
【００８８】
＜ステップＳ１６＞
ステップＳ１６において、制御部１５は、スピーカー２３から出力される前記音情報が前記第１特定情報を含むか否かを判定する。ここで、ステップＳ１６の処理は、制御部１５の第１判定処理部１５３により実行される。
【００８９】
具体的に、制御部１５は、画像処理装置１０の外部からマイク１９を経由して入力されるデジタル信号化された前記音情報に基づいて、スピーカー２３から出力される前記音情報が前記第１特定情報を含むか否かを判定する。例えば、制御部１５は、制御部１５に入力されるデジタル信号化された前記音情報に対して音声認識処理を実行する。そして、制御部１５は、当該音声認識処理の実行結果に基づいて、スピーカー２３から出力される前記音情報が前記第１特定情報を含むか否かを判断する。
【００９０】
ここで、制御部１５は、スピーカー２３から出力される前記音情報が前記第１特定情報を含むと判断すると（Ｓ１６のＹｅｓ側）、処理をステップＳ１７に移行させる。また、スピーカー２３から出力される前記音情報が前記第１特定情報を含むと判断されない場合は（Ｓ１６のＮｏ側）、制御部１５は、処理をステップＳ１５に移行させる。
【００９１】
これにより、前記第１特定情報を含む放送が行われる場合にのみ、画像処理装置１０の動作を制限することが可能である。例えば、重要な連絡事項を含む放送が行われる場合に、当該放送に前記第１特定情報を含めることが考えられる。
【００９２】
＜ステップＳ１７＞
ステップＳ１７において、制御部１５は、ステップＳ１４で特定された前記特定動作を制限する。ここで、ステップＳ１７の処理は、制御部１５の動作制限部１５４により実行される。
【００９３】
具体的に、制御部１５は、特定された前記特定動作の実行を禁止する。また、制御部１５は、特定された前記特定動作が実行中である場合は、実行中の前記特定動作を中断させる。
【００９４】
＜ステップＳ１８＞
ステップＳ１８において、制御部１５は、予め定められたユーザー操作が行われたか否かを判断する。例えば、制御部１５は、操作表示部１６において予め定められた操作キーが操作された場合に、予め定められたユーザー操作が行われたと判断する。
【００９５】
ここで、制御部１５は、予め定められたユーザー操作が行われたと判断すると（Ｓ１８のＹｅｓ側）、処理をステップＳ２０に移行させる。また、予め定められたユーザー操作が行われていなければ（Ｓ１８のＮｏ側）、制御部１５は、処理をステップＳ１９に移行させる。
【００９６】
これにより、画像処理装置１０のユーザーは、任意のタイミングで動作の制限を解除することが可能である。
【００９７】
＜ステップＳ１９＞
ステップＳ１９において、制御部１５は、スピーカー２３から出力される前記音情報が前記第２特定情報を含むか否かを判定する。ここで、ステップＳ１９の処理は、制御部１５の第２判定処理部１５５により実行される。
【００９８】
具体的に、制御部１５は、画像処理装置１０の外部からマイク１９を経由して入力されるデジタル信号化された前記音情報に基づいて、スピーカー２３から出力される前記音情報が前記第２特定情報を含むか否かを判定する。
【００９９】
ここで、制御部１５は、スピーカー２３から出力される前記音情報が前記第２特定情報を含むと判断すると（Ｓ１９のＹｅｓ側）、処理をステップＳ２０に移行させる。また、スピーカー２３から出力される前記音情報が前記第２特定情報を含むと判断されない場合は（Ｓ１９のＮｏ側）、制御部１５は、処理をステップＳ１８へ移行させる。
【０１００】
これにより、放送中に画像処理装置１０の動作制限を解除することが可能である。例えば、放送中における重要な連絡事項の伝達が終了したタイミングで、放送装置２０のマイク２１に前記第２特定情報を入力することが考えられる。
【０１０１】
＜ステップＳ２０＞
ステップＳ２０において、制御部１５は、ステップＳ１７での前記特定動作の制限を解除する。ここで、ステップＳ２０の処理は、制御部１５の動作制限部１５４により実行される。
【０１０２】
なお、制御部１５は、ステップＳ１７の処理の後、スピーカー２３が停止状態へ移行した場合に、ステップＳ２０の処理を実行してよい。また、制御部１５は、ステップＳ１７の処理の実行時から予め定められた時間が経過した場合に、ステップＳ２０の処理を実行してもよい。
【０１０３】
このように、画像処理システム１００では、スピーカー２３の出力状態が検出された場合に、画像処理装置１０の動作を制限することが可能である。そのため、画像処理システム１００では、スピーカー２３から出力される前記音情報の伝達性の低下を抑制することが可能である。
【０１０４】
なお、放送装置２０の制御部２４２は、マイク２１と電気的に接続されていて、マイク２１の入力状態を検出することが可能であってもよい。ここで、マイク２１の入力状態とは、マイク２１に前記音情報が入力されている状態のことである。この場合、制御部２４２は、マイク２１が入力状態である場合に、スピーカー２３が出力状態であると判断してもよい。
【０１０５】
また、放送装置２０の制御部２４２は、アンプ２２と電気的に接続されていて、アンプ２２を制御してスピーカー２３から出力される前記音情報の音量を調整可能であってもよい。この場合、画像処理装置１０の制御部１５は、音量取得部１５２によって取得される音量が前記基準音量以下である場合に、放送装置２０の制御部２４２に、スピーカー２３から出力される前記音情報の音量の増加を指示してもよい。具体的に、制御部１５は、音量取得部１５２によって取得される音量と前記基準音量との差Ｘが大きいほど、スピーカー２３から出力される前記音情報の音量の増加量が多くなるように、制御部２４２に音量の増加を指示してよい。
【符号の説明】
【０１０６】
１０      画像処理装置
１１      ＡＤＦ
１２      画像読取部
１３      画像形成部
１４      給紙部
１５      制御部
１６      操作表示部
１７      通信部
１８      記憶部
１９      マイク
２０      放送装置
２１      マイク
２２      アンプ
２３      スピーカー
２４      通信装置
３０      通信ネットワーク
１００    画像処理システム
１５１    検出処理部
１５２    音量取得部
１５３    第１判定処理部
１５４    動作制限部
１５５    第２判定処理部
２４１    通信部
２４２    制御部
【図１】
2019188723.tif 000003
【図２】
2019188723.tif 000004
【図３】
2019188723.tif 000005
【図４】
2019188723.tif 000006